(57)【要約】【課題】ユーザの手を煩わさず、走行中の所定の地点において、ユーザに馴染み深く又は通過地点に合致した楽曲を再生しかつ曲の再生のマンネリ化を防止してユーザの運転環境の向上を図ることができるナビゲーション装置、その方法及びプログラムを提供する。【解決手段】ナビゲーション装置による経路誘導が開始されると、出来事データ検索部３６は、自車位置情報に基づいて自車位置近傍の出来事データを検索し、出来事データの位置情報が自車位置情報と所定距離以内であると判定した場合に、出来事データベース１１ａの出来事データの発生年（年代）を読み出す。曲検索部３７は、これを受け記憶部１１の曲検索データベース１１ｂにアクセスして、この年代に該当する曲を検索し、再生する。【選択図】図１
2008190869.tif 000002
【特許請求の範囲】
【請求項１】
車両の自車位置を検出する自車位置検出手段と、経路探索及び地図表示のための道路地図データと施設の位置を含む施設データとを予め格納する記憶手段と、ユーザにより設定された目的地への最適な経路を計算する経路計算手段と、前記最適な経路へ誘導案内を行う案内手段と、情報の表示並びにオーディオ出力を制御する表示オーディオ制御手段と、を備えたナビゲーション装置において、
前記記憶手段は、過去に発生した事件及び事故を含む出来事について発生した年代や発生した位置情報を含む出来事特定情報とともに出来事情報として記憶した出来事記憶部と、曲名や年代情報を含む曲特定情報をテキスト情報として記憶した曲検索記憶部と、前記曲特定情報と曲データを含む曲情報を記憶した曲記憶部とを備え、
前記自車位置検出手段からの自車位置情報に基づいて、前記出来事記憶部から車両近傍の前記位置情報を有する出来事情報を検出する出来事データ検出手段と、
前記出来事特定情報に基づいて、当該出来事特定情報と合致又は近似する前記曲特定情報を含む曲を前記曲検索記憶部から検索するとともに、この検索された曲と一致する曲を前記曲特定情報に基づいて曲記憶部から検索して前記表示オーディオ制御手段に対して当該曲の曲データを再生出力する曲検索手段とを備えたことを特徴とするナビゲーション装置。
【請求項２】
前記出来事データ検出手段は、前記自車位置情報と前記出来事情報の位置情報とに含まれる緯度及び経度情報から両位置の距離を算出し、当該距離が所定距離以内の場合に、前記出来事特定情報を前記曲検索手段に出力するものであることを特徴とする請求項１記載のナビゲーション装置。
【請求項３】
前記出来事特定情報は、当該出来事の発生年代情報であり、
前記曲検索手段は、前記出来事データ検出手段から提供される前記発生年代情報と、年代が一致又は近似する曲を検索するものであることを特徴とする請求項１又は２記載のナビゲーション装置。
【請求項４】
前記出来事特定情報は、当該出来事の当事者情報を含み、
前記曲特定情報は、当該曲の作詞者又は作曲者等の曲当事者情報を含み、
前記曲検索手段は、前記出来事データ検出手段から提供される当事者情報と、前記曲当事者情報とが一致する曲を検索するものであることを特徴とする請求項１又は２記載のナビゲーション装置。
【請求項５】
経路探索及び地図表示のための道路地図データと施設の位置を含む施設データとを予め格納する記憶手段と、情報の表示並びにオーディオ出力を制御する表示オーディオ制御手段と、を備え、車両の自車位置を検出する自車位置検出処理と、ユーザにより設定された目的地への最適な経路を計算する経路計算処理と、前記最適な経路へ誘導案内を行う案内処理と、を制御部がコンピュータを制御して実行するナビゲーション装置の制御方法において、
前記記憶手段は、過去に発生した事件及び事故を含む出来事について発生した年代や発生した位置情報を含む出来事特定情報とともに出来事情報として記憶した出来事記憶部と、曲名や年代情報を含む曲特定情報をテキスト情報として記憶した曲検索記憶部と、前記曲特定情報と曲データを含む曲情報を記憶した曲記憶部とを備え、
前記制御部は、
前記自車位置検出手段からの自車位置情報に基づいて、前記出来事記憶部から車両近傍の前記位置情報を有する出来事情報を検出する出来事データ検出処理と、
前記出来事特定情報に基づいて、当該出来事特定情報と合致又は近似する前記曲特定情報を含む曲を前記曲検索記憶部から検索するとともに、この検索された曲と一致する曲を前記曲特定情報に基づいて曲記憶部から検索して前記表示オーディオ制御手段に対して当該曲の曲データを再生出力する曲検索処理とを実行することを特徴とするナビゲーション装置の制御方法。
【請求項６】
前記出来事データ検出処理は、前記自車位置情報と前記出来事情報の位置情報とに含まれる緯度及び経度情報から両位置の距離を算出し、当該距離が所定距離以内の場合に、前記出来事特定情報を前記曲検索処理に対して出力するものであることを特徴とする請求項５記載のナビゲーション装置の制御方法。
【請求項７】
前記出来事特定情報は、当該出来事の発生年代情報であり、
前記曲検索処理は、前記出来事データ検出処理から提供される前記発生年代情報と、年代が一致又は近似する曲を検索するものであることを特徴とする請求項５又は６記載のナビゲーション装置の制御方法。
【請求項８】
前記出来事特定情報は、当該出来事の当事者情報を含み、
前記曲特定情報は、当該曲の作詞者又は作曲者等の曲当事者情報を含み、
前記曲検索処理は、前記出来事データ検出処理から提供される当事者情報と、前記曲当事者情報とが一致する曲を検索するものであることを特徴とする請求項５又は６記載のナビゲーション装置の制御方法。
【請求項９】
経路探索及び地図表示のための道路地図データと施設の位置を含む施設データとを予め格納する記憶手段と、情報の表示並びにオーディオ出力を制御する表示オーディオ制御手段と、を備え、車両の自車位置を検出する自車位置検出処理と、ユーザにより設定された目的地への最適な経路を計算する経路計算処理と、前記最適な経路へ誘導案内を行う案内処理と、をコンピュータを制御して実行するナビゲーション装置の制御プログラムにおいて、
前記記憶手段は、過去に発生した事件及び事故を含む出来事について発生した年代や発生した位置情報を含む出来事特定情報とともに出来事情報として記憶した出来事記憶部と、曲名や年代情報を含む曲特定情報をテキスト情報として記憶した曲検索記憶部と、前記曲特定情報と曲データを含む曲情報を記憶した曲記憶部とを備え、
前記プログラムは前記コンピュータに、
前記自車位置検出手段からの自車位置情報に基づいて、前記出来事記憶部から車両近傍の前記位置情報を有する出来事情報を検出させる出来事データ検出処理と、
前記出来事特定情報に基づいて、当該出来事特定情報と合致又は近似する前記曲特定情報を含む曲を前記曲検索記憶部から検索させるとともに、この検索された曲と一致する曲を前記曲特定情報に基づいて曲記憶部から検索させて前記表示オーディオ制御手段に対して当該曲の曲データを再生出力させる曲検索処理と、を実行させることを特徴とするナビゲーション装置の制御プログラム。
【請求項１０】
前記出来事データ検出処理は、前記自車位置情報と前記出来事情報の位置情報とに含まれる緯度及び経度情報から両位置の距離を算出させ、当該距離が所定距離以内の場合に、前記出来事特定情報を前記曲検索処理に対して出力させるものであることを特徴とする請求項９記載のナビゲーション装置の制御プログラム。
【請求項１１】
前記出来事特定情報は、当該出来事の発生年代情報であり、
前記曲検索処理は、前記出来事データ検出処理から提供される前記発生年代情報と、年代が一致又は近似する曲を検索させるものであることを特徴とする請求項９又は１０記載のナビゲーション装置の制御プログラム。
【請求項１２】
前記出来事特定情報は、当該出来事の当事者情報を含み、
前記曲特定情報は、当該曲の作詞者又は作曲者等の曲当事者情報を含み、
前記曲検索処理は、前記出来事データ検出処理から提供される当事者情報と、前記曲当事者情報とが一致する曲を検索させるものであることを特徴とする請求項９又は１０記載のナビゲーション装置の制御プログラム。
【発明の詳細な説明】
【技術分野】
【０００１】
本発明は、ナビゲーション装置のオーディオ機能を用いて、走行中の所定の地点において適切な楽曲の再生を行うナビゲーションの技術を実現するものである。
【背景技術】
【０００２】
近年、自動車の普及と電子技術の発達に伴い、車両に搭載して道案内を行う車載用ナビゲーション装置が急速に普及している。ナビゲーション装置は、道路や各種施設などの情報に基づき、指定された目的地までの経路を計算・設定し、ＧＰＳなどで自車位置を検出しながら、経路に沿った地図や自車位置の画面表示などにより経路誘導を行うものである。
【０００３】
このようなナビゲーション装置では、オーディオ機能を同時に備えたものがあり、特に近年はハードディスク（ＨＤＤ）などの大容量記憶媒体を備えた装置が提案されており、このＨＤＤ等の記憶媒体にナビゲーション装置の道路地図データ等を格納するとともに、例えばＣＤ等に記録されている楽曲を所定の形式の楽曲データにエンコードして取り込み、数千曲の音楽データを保持することができるようになっている。
【特許文献１】特開２００４−２７２５３２号公報
【発明の開示】
【発明が解決しようとする課題】
【０００４】
しかしながら、このような大容量の記憶媒体を備えたナビゲーション装置のオーディオ機能においては、ユーザが乗車中に所望のアルバムやプレイリストを的確に選択して所望の楽曲を再生するための操作は煩雑であり、必ずしもユーザに馴染み深い曲や、その通過地点等に相応しい曲が再生されるとは言えなかった。また、ＨＤＤ等に多くの楽曲が格納されていたとしても、ユーザが能動的に再生する楽曲は特定のアルバムやプレイリストに限られ、再生楽曲のマンネリ化が生じることも考えられる。
【０００５】
本発明は、上記のような従来技術の課題を解決するもので、その目的は、ユーザの手を煩わさず、走行中の所定の地点において、ユーザに馴染み深く又は通過地点に相応しい楽曲を再生しかつ曲の再生のマンネリ化を防止してユーザの運転環境の向上を図ることのできるナビゲーション装置、その方法及びプログラムを提供することにある。
【課題を解決するための手段】
【０００６】
上記の目的を達成するため、請求項１の発明は、車両の自車位置を検出する自車位置検出手段と、経路探索及び地図表示のための道路地図データと施設の位置を含む施設データとを予め格納する記憶手段と、ユーザにより設定された目的地への最適な経路を計算する経路計算手段と、前記最適な経路へ誘導案内を行う案内手段と、情報の表示並びにオーディオ出力を制御する表示オーディオ制御手段と、を備えたナビゲーション装置において、前記記憶手段は、過去に発生した事件及び事故を含む出来事について発生した年代や発生した位置情報を含む出来事特定情報とともに出来事情報として記憶した出来事記憶部と、曲名や年代情報を含む曲特定情報をテキスト情報として記憶した曲検索記憶部と、前記曲特定情報と曲データを含む曲情報を記憶した曲記憶部とを備え、前記自車位置検出手段からの自車位置情報に基づいて、前記出来事記憶部から車両近傍の前記位置情報を有する出来事情報を検出する出来事データ検出手段と、前記出来事特定情報に基づいて、当該出来事特定情報と合致又は近似する前記曲特定情報を含む曲を前記曲検索記憶部から検索するとともに、この検索された曲と一致する曲を前記曲特定情報に基づいて曲記憶部から検索して前記表示オーディオ制御手段に対して当該曲の曲データを再生出力する曲検索手段とを備えたことを特徴とする。なお、この発明は、請求項５及び請求項９に記載されたとおり、ナビゲーション装置の制御方法及び制御プログラムとして捉えることも可能である。
【０００７】
以上のような態様では、記憶手段が、過去に発生した事件及び事故を含む出来事について発生した年代や発生した位置情報を含む出来事特定情報とともに出来事情報として記憶した出来事記憶部と、曲名や年代情報を含む曲特定情報をテキスト情報として記憶した曲検索記憶部と、前記曲特定情報と曲データを含む曲情報を記憶した曲記憶部とを備え、出来事データ検出手段と、曲検索手段とにより、この記憶手段から、車両が通過する箇所で過去に発生した出来事に合致する曲を検索して再生することが可能となる。これにより、ユーザの手を煩わさず、走行中の所定の地点において、ユーザに馴染み深く又は通過地点に合致した楽曲を再生しかつ曲の再生のマンネリ化を防止してユーザの運転環境の向上を図ることができる。
【０００８】
請求項２の発明は、請求項１の発明において、前記出来事データ検出手段は、前記自車位置情報と前記出来事情報の位置情報とに含まれる緯度及び経度情報から両位置の距離を算出し、当該距離が所定距離以内の場合に、前記出来事特定情報を前記曲検索手段に出力するものであることを特徴とする。なお、この発明は、請求項６及び請求項１０に記載されたとおり、ナビゲーション装置の制御方法及び制御プログラムとして捉えることも可能である。
【０００９】
以上のような態様では、出来事データ検出手段が、自車位置と出来事情報の位置情報との距離を緯度経度情報から比較し、この距離が所定距離以内の場合に、曲検索手段に出力し、これに基づいて曲検索手段は曲を検索し出力することになるので、当該出来事の発生場所に対して適切な位置で、当該出来事に関連する曲が再生されることとなる。
【００１０】
請求項３の発明は、請求項１又は２の発明において、前記出来事特定情報は、当該出来事の発生年代情報であり、前記曲検索手段は、前記出来事データ検出手段から提供される前記発生年代情報と、年代が一致又は近似する曲を検索するものであることを特徴とする。なお、この発明は、請求項７及び請求項１１に記載されたとおり、ナビゲーション装置の制御方法及び制御プログラムとして捉えることも可能である。
【００１１】
以上のような態様では、出来事特定情報及び曲特定情報として年代情報を含み、この年代情報をもとに曲検索手段が曲を検索することにより、車両が過去に大きな出来事があった場所を通過した場合に、その出来事が起きた年代に流行っていた曲を流すことができる。
【００１２】
請求項４の発明は、請求項１又は２の発明において、前記出来事特定情報は、当該出来事の当事者情報を含み、前記曲特定情報は、当該曲の作詞者又は作曲者等の曲当事者情報を含み、前記曲検索手段は、前記出来事データ検出手段から提供される当事者情報と、前記曲当事者情報とが一致する曲を検索するものであることを特徴とする。なお、この発明は、請求項８及び請求項１２に記載されたとおり、ナビゲーション装置の制御方法及び制御プログラムとして捉えることも可能である。
【００１３】
以上のような態様では、出来事特定情報及び曲特定情報として出来事の当事者あるいは曲のアーティスト等の当事者情報を含み、この当事者情報をもとに曲検索手段が曲を検索することにより、車両が過去に大きな出来事があった場所を通過した場合に、歌手本人がその出来事の当事者であるならばその歌手の曲を流すことが可能である。
【発明の効果】
【００１４】
以上のように、本発明によれば、ユーザの手を煩わさず、走行中の所定の地点において、ユーザに馴染み深く又は通過地点に合致した楽曲を再生しかつ曲の再生のマンネリ化を防止してユーザの運転環境に向上を図ることのできる音楽検索機能を持ったナビゲーション装置、その制御方法及び制御プログラムを提供することができる。
【発明を実施するための最良の形態】
【００１５】
次に、本発明を実施するための最良の実施形態について、図面を参照して説明する。
【００１６】
〔１．構成〕
本実施形態は、目的地への経路を案内するナビゲーション装置（以下「本装置」と呼ぶ）を説明するもので、その制御方法、制御プログラムとしても把握可能であり、本装置の構成を図１に示す。
【００１７】
すなわち、１は、ＶＩＣＳ情報を取得する為のＦＭ多重受信及び処理部、２は、ＶＩＣＳ情報を取得する為のビーコン受信及び処理部である。３は、システム全体の制御を司るメインＣＰＵ（中央演算装置）及びその周辺回路であり、本装置各部の制御を含む情報処理を行う制御部である。メインメモリＭを構成する４は、メインプログラムをロードする為のダイナミックＲＡＭ（ＤＲＡＭ）、５は、メイン電源オフの間も設定などメモリ内容を保持するためのバッテリーバックアップ付スタティックＲＡＭ（ＳＲＡＭ）、６は、起動時等に制御部３よりアクセスされるＲＯＭである。
【００１８】
７は、地図などの情報を描画及び表示する表示部で、液晶表示パネルなどの表示画面を持つ。８は、表示部７用に設けられたビデオＲＡＭ（ＶＲＡＭ）である。９は、ＴＶ（各種のテレビジョン放送）を受信する為のＴＶ受信及び処理部、１０は、イルミネーション（計器盤等の照明）・車速パルス・パーキング等の動作や状態を検出する車両情報取得部である。
【００１９】
１１は、ＨＤＤ、ＤＶＤ−ＲＯＭ、ＣＤ−ＲＯＭなどのドライブを用いて、一般的なナビゲーション装置と同様、道路地図データ（典型的には、経路探索用データや地図表示用データ）・その他の検索データや地図関連データなどを記録する地図データの記憶装置である。また、本実施形態の特徴的構成として、この記憶装置１１に、出来事データベース１１ａ、曲検索データベース１１ｂ、曲データベース１１ｃが設けられている。
【００２０】
この記憶装置１１に格納された各データベースの構成について、図３〜図５を用いて具体的に説明する。出来事データベース１１ａは、ある土地において過去に発生した事件・事故等、年代・位置情報が特定される出来事情報を記録したものであり、例えば、図３に示すように有名な出来事である「３億円事件」について、その「出来事名」、「年代（発生年月日）」、緯度と経度で表された「発生場所」とから構成される情報が記録されている。この出来事データベース１１ａの情報は、工場出荷時に記憶しておく場合のほか、ＷＥＢ情報から常に情報を更新しておいてもよい。
【００２１】
また、曲検索データベース１１ｂは、図４に示すように、例えば「曲名」、これに対応する「アーティスト名」、「年代」、「ジャンル」の情報が記録されている。この曲検索データベース１１ｂの情報は、例えば、後述のディスク制御部１３において、音楽ＣＤ等が再生された際に、ＣＤのリードイン・リードアウトに含まれるトラックやセッション、ＣＤ−ＴＥＸＴ情報などが記録されたＴＯＣ（Table of contents）からリッピングして記録したり、後述の曲データベース１１ｃに記録された曲ＩＤを手がかりに、例えば、ＷＥＢ上のＣＤデータベース等音楽情報提供サーバにアクセスして情報を取得し記録されるものである。
【００２２】
曲データベース１１ｃは、ユーザがＣＤ等に記録されている楽曲を所定の形式の楽曲データにエンコードして取り込み、又はＷＥＢ上の音楽配信サーバからダウンロードして、格納して構成され、曲ＩＤ及び曲データが、例えばＭＰ３形式あるいはＡＡＣ形式にて記録されているものである。
【００２３】
出来事データベース１１ａと曲検索データベース１１ｂとは共通の情報として「年代」という項目を持ちこれをキーとしてリンクされ、曲検索データベース１１ｂと曲データベース１１ｃとは共通の情報として「曲ＩＤ」という項目を持ちこれをキーとしてリンクされている。
【００２４】
１２は、情報や操作の入力を受け付ける入力部で、タッチキーなどからの入力を検出する制御装置であるが、入力部の構成や種類は自由で、表示部７周囲の操作スイッチ類のほか、リモコンユニット、表示パネルと一体のタッチセンサなどを単独、又は自由に組み合わせて用いればよい。１３は、経路誘導案内出力や、ハードディスク、ＤＶＤ−ＲＯＭ、ＣＤ−ＲＯＭなどのドライブを再生あるいはＨＤＤ内の音楽データの再生を行うオーディオ出力部である。１４は、測位技術（例えば、ＧＰＳ、ジャイロ、地磁気センサ、加速度センサ、車速パルスなど）により、現在位置、方位、速度など自車の挙動に関する航法情報を得る測位部である。
【００２５】
また、制御部３は、所定の制御プログラムにより、図１に３０〜３７と示す機能・作用に対応する処理手段を実現・実行する。本実施形態において、自車位置検出部３０、目的地受付部３１、経路計算部３２、案内部３４、表示・オーディオ制御部３５の基本的な機能は、本発明特有の要素ではなく従来と共通のナビゲーション処理を実行するものであり、その他の出来事データ検出部３６及び曲検索部３７の機能が本実施形態に顕著な処理を実行するものである。なお、以下では本実施形態に顕著な点以外の説明は省略する。
【００２６】
〔２．作用効果〕
〔２−１．処理の概要〕
本実施形態の処理の概要を説明する。まず、ユーザが入力部１２を通じて目的地の指定を行うと、これを目的地受付部３１が受付け、これに基づき、経路計算部３２が従来のナビゲーション装置と同様に、直線優先、裏道優先、有料道路優先、一般道路優先、道幅優先などのユーザが指定した条件に基づいて目的地への最適経路を計算し、これを表示制御部３５を介して表示部７に地図表示するとともに、案内部３４が画面表示及び音声出力によりユーザに経路誘導を行う。
【００２７】
ナビゲーション装置による経路誘導が開始されると、出来事データ検索部３６は、自車位置情報に基づいて自車位置近傍の出来事データを検索し、出来事データの位置情報が自車位置情報と所定距離以内であると判定した場合に、出来事データベース１１ａの出来事データの発生年（年代）を読み出す。曲検索部３７は、これを受け記憶部１１の曲検索データベース１１ｂにアクセスして、この年代に該当する曲を検索し、再生する。
【００２８】
〔２−２．曲検索の具体的処理〕
次に、図２のフローチャートを参照して、出来事データ検出部３６及び曲検索部３７の機能を主体として実現される曲検索の具体的処理を説明する。
【００２９】
ナビゲーション装置による経路誘導が開始されると、図２のフローチャートにその流れを示すとおり、本実施形態の曲検索処理が開始する（ＳＴＡＲＴ）。まず、自車位置検出部３０から、出来事データ検出部３６に、随時自車位置情報が入力される（ＳＴＥＰ１）。
【００３０】
この自車位置情報に基づいて、出来事データ読出部３６ａは随時自車位置近傍の出来事情報を、記憶装置１１の出来事データベース１１ａから読み出すとともに（ＳＴＥＰ２）、出来事データがあった場合には（ＳＴＥＰ３のＹＥＳ）、これを位置比較部３６ｂに入力し、出来事データがない場合（ＳＴＥＰ３のＮＯ）にはＳＴＥＰ２に戻り、ＳＴＥＰ２，３の処理を繰り返す。なお、出来事データ読出部３６ａは、出来事データベース１１ａに出来事データとして記憶された「発生場所」情報の緯度経度を手がかりに、自車位置近傍の出来事データを検索するものである。
【００３１】
具体例を用いれば、図３の出来事データベース１１ｂの例に示すように、自車位置が国分寺市内であった場合に、当該自車位置に基づいて出来事データ読出部３６ａは、「国分寺市」の例えば「東経○○度○○分（○○°○○′）」「北緯△△度△△分（△△°△△′）」が近傍位置としてピックアップされた場合、出来事データ「Ｎｏ．１」の「３億円事件」を読み出し、このデータ「Ｎｏ．１」を位置比較部３６ｂに入力する。
【００３２】
位置比較部３６ｂは、出来事情報読出部３６ａより入力された出来事データ「Ｎｏ．１」の発生場所情報と、自車位置検出部３０から入力される自車位置情報とを対比する（ＳＴＥＰ４）。具体的には、出来事データ「Ｎｏ．１」に記憶された緯度経度と自車位置の緯度経度とから、距離を計算し、この距離が所定距離以内かを比較する。この距離は、例えば５００ｍや１ｋｍ等任意に設定するものである。
【００３３】
位置比較部３６ｂが、自車位置と出来事データ「Ｎｏ．１」の位置とが、所定距離以内であると判定した場合には（ＳＴＥＰ４のＹＥＳ）、年代読出部３６ｃにそのことを入力し、年代読出部３６ｃが出来事データベース１１ａの出来事データ「Ｎｏ．１」から出来事の発生年を読み出す（ＳＴＥＰ５）。このとき、出来事データ「Ｎｏ．１」の発生年が「昭和４３年」であることが読み出されると、出力部３６ｄがこの年代データを曲検索部３７へ出力する（ＳＴＥＰ６）。
【００３４】
曲検索部３７は、これを受け、年代該当曲読出部３７ａが記憶部１１の曲検索データベース１１ｂにアクセスして、図４に例を示す曲検索データベース１１ｂから、「昭和４３年」に該当する曲あるいは、「昭和４３年」から前後３年の年代情報を有する曲を読み出す。図４の例では、曲検索データ「Ｎｏ．１」の曲名「ＡＢＣ」の有する年代情報が「昭和４３年」であるので、これがヒットする。なお、この年代該当曲読出部３７ａにより読み出す年代の範囲は任意であり、また図３及び図４に示した元号標記の情報は一例にすぎず、、例えば「１９６８年」など西暦情報であってもよく、さらに１９７０代等、おおまかな括りで記録されている場合もあり得る。
【００３５】
これに基づいて年代該当曲読出部３７ａは、この曲検索データ「Ｎｏ．１」の曲ＩＤである「Ｍ−００１」をもとに、曲データベース１１ｃより該当曲を検索し、曲データ「Ｎｏ．１」を読み出し（ＳＴＥＰ７）、再生出力部３７ｂに出力する。
【００３６】
再生出力部３７ｂは、これに基づいて、当該曲データ「Ｎｏ．１」を表示・オーディオ出力部３５に出力する（ＳＴＥＰ８）。表示・オーディオ制御部３５は、オーディオ出力部１３を介して当該曲「Ｎｏ．１」を再生するとともに、当該曲の再生が終了した場合には、これを再生出力部３７ｂに入力する。再生出力部３７ｂは、再生終了情報の入力に基づいて曲の終了を判定し（ＳＴＥＰ９のＹＥＳ）、ＳＴＥＰ１に処理を返す。
【００３７】
なお、年代該当曲読出部３７ａにおいて、該当曲が複数曲読み出された場合には、その曲を読み出された順番にすべての曲を再生するようにしてもよいし、１曲のみや２曲のみ等曲数を予め設定して再生したり、１０分間再生等時間を設定して再生する等々、設定は自由である。
【００３８】
また、出来事データベース１１ａの出来事データから曲検索データベース１１ｂの曲を検索する際のキーを「年代」としているが、本実施形態ではこれに限られない。例えば、出来事データベース１１ａに記憶された出来事名と同一の曲名があるような場合には当該曲名をキーとして曲検索データベース１１ｂに検索をかけたり、出来事データの所定の事件を起こした当事者が歌手であるような場合にはアーティスト名をキーとして曲検索データベース１１ｂに検索するなど、任意に設定可能であるし、複数キーを設けて処理を行うことも処理能力の許す範囲で可能である。
【００３９】
〔２−３．効果〕
以上のような本実施形態の処理によれば、記憶装置１１に、過去に発生した事件及び事故を含む出来事について発生した年代や発生した位置情報を含む出来事特定情報とともに出来事情報として記憶した出来事データベースと、曲名や年代情報を含む曲特定情報をテキスト情報として記憶した曲検索データベースと、前記曲特定情報と曲データを含む曲情報を記憶した曲データベースとを備え、出来事データ検出部と、曲検索部とにより、この記憶手段から、車両が通過する箇所で過去に発生した出来事に合致する曲を検索して再生することが可能となる。
【００４０】
これにより、ユーザの手を煩わさず、走行中の所定の地点において、ユーザに馴染み深く又は通過地点に合致した楽曲を再生しかつ曲の再生のマンネリ化を防止してユーザの運転環境の向上を図ることができる。
【００４１】
出来事データ検出部は、位置比較部により自車位置と出来事情報の位置情報との距離を緯度経度情報から比較し、この距離が所定距離以内の場合に、曲検索部に出力し、これに基づいて曲検索部は曲を検索し出力することになるので、当該出来事の発生場所に対して適切な位置で、当該出来事に関連する曲が再生されることとなる。
【００４２】
また、出来事データ及び曲検索データとして年代情報を含み、この年代情報をもとに曲検索部が曲を検索することにより、車両が過去に大きな出来事があった場所を通過した場合に、その出来事が起きた年代に流行っていた曲を流すことができる。また、出来事データ及び曲検索データとして出来事の当事者あるいは曲のアーティスト等の当事者情報を含み、この当事者情報をもとに曲検索部が曲を検索することにより、車両が過去に大きな出来事があった場所を通過した場合に、歌手本人がその出来事の当事者であるならばその歌手の曲を流すことが可能である。
【図面の簡単な説明】
【００４３】
【図１】本発明の実施形態の構成を示す機能ブロック図。
【図２】本発明の実施形態における処理手順を例示するフローチャート。
【図３】本発明の実施形態における出来事データベースを例示する構成図。
【図４】本発明の実施形態における曲検索データベースを例示する構成図。
【図５】本発明の実施形態における曲データベースを例示する構成図。
【符号の説明】
【００４４】
１…ＦＭ多重受信及び処理部
２…ビーコン受信及び処理部
３…制御部（メインＣＰＵ及びその周辺回路）
３０…自車位置検出部
３１…目的地受付部
３２…経路計算部
３３…案内部
３４…表示・オーディオ制御部
３５…出来事データ検出部
３５ａ…出来事データ読出部
３５ｂ…位置比較部
３５ｃ…年代読出部
３５ｄ…出力部
３６…曲検索部
３６ａ…年代該当曲読出部
３６ｂ…再生出力部
４…ダイナミックＲＡＭ（ＤＲＡＭ）
５…スタティックＲＡＭ（ＳＲＡＭ）
６…ＲＯＭ
７…表示部
８…ビデオＲＡＭ（ＶＲＡＭ）
９…ＴＶ受信及び処理部
１０…車両情報取得部
１１…記憶装置
１１ａ…出来事データベース
１１ｂ…曲検索データベース
１１ｃ…曲データベース
１２…入力部（タッチキー制御装置）
１３…オーディオ出力部
１４…測位部
Ｍ…メインメモリ
【図１】
2008190869.tif 000003
【図２】
2008190869.tif 000004
【図３】
2008190869.tif 000005
【図４】
2008190869.tif 000006
【図５】
2008190869.tif 000007